(57)【要約】      （修正有）【課題】インクヘッドに伝送データを伝送する際に発生する放射ノイズのレベルが増大することを抑制することが可能な伝送データ作成装置を提供する。【解決手段】伝送データ作成装置は、インクヘッドに伝送される伝送印刷画像データＰＤ２および伝送クロック信号ＣＳ２を有する伝送データを作成する装置である。伝送データ作成装置は、基準クロック信号の複数のパルスＰ１、Ｐ２、・・・、Ｐｎのうち、少なくとも１つ以上のパルスの間隔を異ならせることで、基準クロック信号から伝送クロック信号ＣＳ２を作成するクロック信号作成部と、伝送クロック信号ＣＳ２に対応するように、基準印刷画像データを調整することで伝送印刷画像データＰＤ２を作成する伝送印刷画像データ作成部とを備えている。【選択図】図６
2018024163.tif 000002
【特許請求の範囲】
【請求項１】
記録媒体が載置されるプラテンと、前記プラテンに載置された前記記録媒体に向かってインクを吐出するインクヘッドとを備えた印刷装置において、前記インクヘッドに伝送される印刷画像データである伝送印刷画像データと、前記インクヘッドに伝送されるクロック信号である伝送クロック信号を有する伝送データを作成する伝送データ作成装置であって、
間隔が同一の複数のパルスを有するクロック信号である基準クロック信号、および、前記基準クロック信号に対応した印刷画像データである基準印刷画像データが記憶された記憶部と、
前記基準クロック信号の前記複数のパルスのうち、少なくとも１つ以上のパルスの間隔を異ならせることで、前記基準クロック信号から前記伝送クロック信号を作成するクロック信号作成部と、
前記クロック信号作成部によって作成された前記伝送クロック信号に対応するように、前記基準印刷画像データを調整することで前記伝送印刷画像データを作成する印刷画像データ作成部と、
を備えた、伝送データ作成装置。
【請求項２】
前記基準クロック信号を所定の第１の間隔で分割することで、前記基準クロック信号を複数の分割クロックに分割する時分割部を備え、
前記クロック信号作成部は、前記時分割部によって分割された前記複数の分割クロックから選択された分割クロックを第１選択分割クロックとしたとき、前記第１選択分割クロックを削除する、請求項１に記載された伝送データ作成装置。
【請求項３】
前記第１の間隔は、前記基準クロック信号の前記パルスの間隔よりも短い、請求項２に記載された伝送データ作成装置。
【請求項４】
前記クロック信号作成部は、前記時分割部によって分割された前記複数の分割クロックから選択された分割クロックを第２選択分割クロックとしたとき、前記第２選択分割クロックの後に、前記第２選択分割クロックの後端の値が所定の第２の間隔の間、連続する新たな分割クロックを挿入する、請求項２または３に記載された伝送データ作成装置。
【請求項５】
前記第２の間隔は、前記第１の間隔と同じ値である、請求項４に記載された伝送データ作成装置。
【請求項６】
前記クロック信号作成部は、前記時分割部によって分割された前記複数の分割クロックから選択された分割クロックを第３選択分割クロックとしたとき、前記第３選択分割クロックに対して何も処理を行わない、請求項２から５までの何れか一つに記載された伝送データ作成装置。
【請求項７】
前記請求項１から６までの何れか一つに記載された伝送データ作成装置と、
前記プラテンと、
前記インクヘッドと、
を備えた、印刷装置。
【請求項８】
前記クロック信号作成部によって作成された前記伝送クロック信号、および、前記印刷画像データ作成部によって作成された前記伝送印刷画像データを前記インクヘッドに伝送する伝送部を備えた、請求項７に記載された印刷装置。
【請求項９】
前記インクヘッドを前記プラテンに対して主走査方向に移動させる移動機構を備え、
前記プラテンの前記主走査方向の長さは、２０インチ以上である、請求項７または８に記載された印刷装置。
【請求項１０】
記録媒体が載置されるプラテンと、前記プラテンに載置された前記記録媒体に向かってインクを吐出するインクヘッドとを備えた印刷装置において、前記インクヘッドに伝送される印刷画像データである伝送印刷画像データと、前記インクヘッドに伝送されるクロック信号である伝送クロック信号を有する伝送データを作成する伝送データ作成方法であって、
間隔が同一の複数のパルスを有するクロック信号である基準クロック信号、および、前記基準クロック信号に対応した印刷画像データである基準印刷画像データが予め用意されており、
前記基準クロック信号を所定の第１の間隔で分割することで、前記基準クロック信号を複数の分割クロックに分割する時分割工程と、
前記時分割工程において分割した前記複数の分割クロックから選択した分割クロックを第１選択分割クロックとしたとき、前記第１選択分割クロックを削除することで、前記基準クロック信号から前記伝送クロック信号を作成するクロック信号作成工程と、
前記クロック信号作成工程において作成した前記伝送クロック信号に対応するように、前記基準印刷画像データを調整することで前記伝送印刷画像データを作成する印刷画像データ作成工程と、
を包含する、伝送データ作成方法。
【請求項１１】
前記クロック信号作成工程において、前記時分割工程で分割した前記複数の分割クロックから選択した分割クロックを第２選択分割クロックとしたとき、前記第２選択分割クロックの後に、前記第２選択分割クロックの後端の値が所定の第２の間隔の間、連続する新たな分割クロックを挿入する、請求項１０に記載された伝送データ作成方法。
【請求項１２】
前記クロック信号作成工程において、前記時分割工程で分割した前記複数の分割クロックから選択した分割クロックを第３選択分割クロックとしたとき、前記第３選択分割クロックに対して何も処理を行わない、請求項１０または１１に記載された伝送データ作成方法。
【発明の詳細な説明】
【技術分野】
【０００１】
本発明は、伝送データ作成装置、印刷装置および伝送データ作成方法に関する。詳しくは、インクヘッドに伝送される伝送データであって、クロック信号とクロック信号に対応した印刷画像データを有する伝送データを作成する伝送データ作成装置、それを備えた印刷装置、および、伝送データ作成方法に関する。
【背景技術】
【０００２】
従来から、記録媒体が載置されるプラテンと、記録媒体に向かってインクを吐出するインクヘッドと、インクヘッドにケーブルを介して電気的に接続された制御装置を備えたインクジェット式の印刷装置が知られている。この種の印刷装置では、制御装置からインクヘッドに向かって伝送データが伝送される。この伝送データには、例えば、クロック信号、および、印刷対象である印刷画像をラスターデータに変換した印刷画像データが含まれる。
【０００３】
この伝送データがインクヘッドに伝送される際、インクヘッドと制御装置を接続するケーブルには、高電流が流れる。その結果、ケーブルがアンテナとして作用することで、ケーブルから放射ノイズが発生することがあり得る。この放射ノイズは、周辺の機器に対して誤作動を起こさせる要因となる。
【０００４】
そこで、放射ノイズの発生を抑制するために、例えば、特許文献１には、複数のインクヘッドのそれぞれが備えたノズル列を複数のグループに分割し、分割したグループ毎に周波数の異なるクロック信号を生成する記録装置が開示されている。このことによって、放射ノイズのレベルが増大することを抑制することができる。
【先行技術文献】
【特許文献】
【０００５】
【特許文献１】特開２００８−２７９６１６号公報
【発明の概要】
【発明が解決しようとする課題】
【０００６】
しかしながら、特許文献１に開示された記録装置では、分割したグループ毎に特定の周波数が存在することになる。そのため、グループ毎における特定の周波数域において、放射ノイズが顕著に発生する。
【０００７】
本発明はかかる点に鑑みてなされたものであり、その目的は、インクヘッドに伝送データを伝送する際に発生する放射ノイズのレベルが増大することを抑制することが可能な伝送データを作成する伝送データ作成装置、印刷装置、および、伝送データ作成方法を提供することである。
【課題を解決するための手段】
【０００８】
本発明に係る伝送データ作成装置は、記録媒体が載置されるプラテンと、前記プラテンに載置された前記記録媒体に向かってインクを吐出するインクヘッドとを備えた印刷装置において、前記インクヘッドに伝送される印刷画像データである伝送印刷画像データと、前記インクヘッドに伝送されるクロック信号である伝送クロック信号を有する伝送データを作成する伝送データ作成装置である。前記伝送データ作成装置は、記憶部と、クロック信号作成部と、印刷画像データ作成部と、を備えている。前記記憶部には、間隔が同一の複数のパルスを有するクロック信号である基準クロック信号、および、前記基準クロック信号に対応した印刷画像データである基準印刷画像データが記憶されている。前記クロック信号作成部は、前記基準クロック信号の前記複数のパルスのうち、少なくとも１つ以上のパルスの間隔を異ならせることで、前記基準クロック信号から前記伝送クロック信号を作成する。前記印刷画像データ作成部は、前記クロック信号作成部によって作成された前記伝送クロック信号に対応するように、前記基準印刷画像データを調整することで前記伝送印刷画像データを作成する。
【０００９】
前記伝送データ作成装置によれば、インクヘッドに伝送される伝送クロック信号の少なくとも一部のパルスの間隔は、伝送クロック信号の他のパルスの間隔とは異なる。このことによって、伝送クロック信号は、特定の周波数を持たないため、放射ノイズの発生を分散させることができる。よって、特定の周波数で放射ノイズのレベルが増大することを抑制することができる。したがって、前記伝送データ作成装置によれば、発生する放射ノイズのレベルが増大することを抑制することが可能な伝送クロック信号を作成することができる。
【００１０】
本発明に係る伝送データ作成方法は、記録媒体が載置されるプラテンと、前記プラテンに載置された前記記録媒体に向かってインクを吐出するインクヘッドとを備えた印刷装置において、前記インクヘッドに伝送される印刷画像データである伝送印刷画像データと、前記インクヘッドに伝送されるクロック信号である伝送クロック信号を有する伝送データを作成する伝送データ作成方法である。前記伝送データ作成方法では、間隔が同一の複数のパルスを有するクロック信号である基準クロック信号、および、前記基準クロック信号に対応した印刷画像データである基準印刷画像データが予め用意されている。前記伝送データ作成方法には、時分割工程と、クロック信号作成工程と、印刷画像データ作成工程とを包含する。前記時分割工程では、前記基準クロック信号を所定の第１の間隔で分割することで、前記基準クロック信号を複数の分割クロックに分割する。前記クロック信号作成工程では、前記時分割工程において分割した前記複数の分割クロックから選択した分割クロックを第１選択分割クロックとしたとき、前記第１選択分割クロックを削除することで、前記基準クロック信号から前記伝送クロック信号を作成する。前記印刷画像データ作成工程では、前記クロック信号作成工程において作成した前記伝送クロック信号に対応するように、前記基準印刷画像データを調整することで前記伝送印刷画像データを作成する。
【００１１】
前記伝送データ作成方法によれば、基準クロック信号を所定の第１の間隔で時分割をすることで、複数の分割ブロックに分割している。そして、複数の分割ブロックのうち何れかの分割ブロックを削除することで、一部のパルスの間隔が他のパルスの間隔と異なるため、特定の周波数を持たない伝送クロック信号を作成することができる。特定の周波数を持たない伝送クロック信号において、放射ノイズの発生を分散させることができる。よって、前記伝送データ作成方法によれば、放射ノイズの発生を分散させて、特定の周波数で放射ノイズのレベルが増大することを抑制するような伝送クロック信号を作成することができる。
【発明の効果】
【００１２】
本発明によれば、インクヘッドに伝送データを伝送する際に発生する放射ノイズのレベルが増大することを抑制することが可能な伝送データを作成することができる。
【図面の簡単な説明】
【００１３】
【図１】実施形態に係る印刷装置を示す斜視図である。
【図２】印刷装置の内部構成を示す平面図である。
【図３】インクヘッドの底面図である。
【図４】印刷装置のブロック図である。
【図５】印刷画像データとクロック信号のタイムチャートである。
【図６】インクヘッドに伝送される伝送印刷画像データと伝送クロック信号のタイムチャートである。
【図７】伝送データを作成する手順を示したフローチャートである。
【図８】時分割をした状態を示す基準印刷画像データと基準クロック信号のタイムチャートである。
【発明を実施するための形態】
【００１４】
以下、図面を参照しながら、本発明の実施形態に係る印刷装置について説明する。なお、ここで説明される実施形態は、当然ながら特に本発明を限定することを意図したものではない。また、同じ作用を奏する部材・部位には同じ符号を付し、重複する説明は適宜省略または簡略化する。
【００１５】
図１は、本実施形態に係る印刷装置１００の斜視図である。以下の説明では、前、後、左、右、上、下とは、印刷装置１００を正面から見たときの前、後、左、右、上、下をそれぞれ意味するものとする。また、図面中の符号Ｆ、Ｒｒ、Ｌ、Ｒ、Ｕ、Ｄは、それぞれ前、後、左、右、上、下を意味する。ただし、上記方向は説明の便宜上定めた方向に過ぎず、印刷装置１００の設置態様を何ら限定するものではない。また、図面中の符号Ｙは主走査方向を示している。ここでは、主走査方向Ｙは左右方向である。符号Ｘは副走査方向を示している。ここでは、副走査方向Ｘは、前後方向であり、主走査方向Ｙと平面視において直交している。ただし、主走査方向Ｙおよび副走査方向Ｘは、特に限定されず、印刷装置１００の形態に応じて適宜に設定可能である。
【００１６】
図１に示すように、印刷装置１００は、インクジェット式のプリンタである。印刷装置１００は、記録媒体５に印刷を行うものである。ここでは、記録媒体５はロール状の記録紙である。しかしながら、記録媒体５は、シート状の記録紙であってもよいし、樹脂製のシートであってもよい。また、記録媒体５は、可撓性を有するシートに限らず、ガラス基板などの材質が硬い媒体であってもよい。
【００１７】
本実施形態では、印刷装置１００は、ケーシングを有する本体１０と、本体１０の下面に設けられた脚１１と、ユーザが印刷に関する操作を行う操作パネル１２と、本体１０の上部に設けられたカバー１５を備えている。カバー１５の下方であって、本体１０の前側には、記録媒体５を排出するための排出口１３が形成されている。排出口１３の前方かつ下方の位置には、排出口１３から排出された記録媒体５を案内するガイド１４が設けられている。
【００１８】
図２は、印刷装置１００の内部構成を示す平面図である。図３は、インクヘッド４０の底面図である。図４は、印刷装置１００のブロック図である。図２に示すように、印刷装置１００は、ガイドレール２０と、プラテン２５と、第１移動機構５１と、第２移動機構５２と、キャリッジ３０と、インクヘッド４０（図３参照）と、制御装置５５（図４参照）と、伝送データ作成装置６０（図４参照）を備えている。ガイドレール２０は、カバー１５（図１参照）の下方に配置されている。ガイドレール２０は主走査方向Ｙに延びている。
【００１９】
プラテン２５は、記録媒体５への印刷を行う際、記録媒体５を支持するものである。プラテン２５には、記録媒体５が載置される。記録媒体５への印刷は、プラテン２５上において行われる。本実施形態では、プラテン２５は、主走査方向Ｙに延びており、ガイドレール２０の中央部分の後部の下方に配置されている。プラテン２５は、ガイド１４（図１参照）と連なっている。
【００２０】
本実施形態では、プラテン２５の主走査方向Ｙ（ここでは、左右方向）の長さは、２０インチ以上である。例えば、プラテン２５の主走査方向Ｙの長さは、Ａ０サイズの用紙の横幅（言い換えると、短辺の長さ）以上の長さである。ここで、Ａ０サイズの用紙とは、寸法が８４１ｍｍ×１１８９ｍｍであり、Ａ０サイズの用紙の横幅は、８４１ｍｍである。また、プラテン２５の主走査方向Ｙの長さは、Ａ１サイズの用紙の縦幅（言い換えると、長辺の長さ）以上の長さである。プラテン２５の主走査方向Ｙの長さは、Ｂ１サイズの用紙の横幅以上の長さである。本実施形態では、印刷装置１００の本体１０の主走査方向Ｙの長さは、ユーザの片腕の長さよりも長い。本体１０の主走査方向Ｙの長さは、ユーザが片腕を主走査方向Ｙに伸ばしたときにおける、ユーザの目から片腕の指先までの長さよりも長い。印刷装置１００は、家庭用のプリンタと比較すると、家庭用のプリンタよりも主走査方向Ｙに長い、いわゆる大型のプリンタである。
【００２１】
第１移動機構５１は、プラテン２５に載置された記録媒体５を、インクヘッド４０（図３参照）に対して副走査方向Ｘ（例えば、後ろから前へ向かう方向）に移動させる機構である。本実施形態では、第１移動機構５１は、上下一対のローラ２６と、モータ２７を有している。なお、上下一対のローラ２６において、図２では上側のローラ２６が図示されており、下側のローラ２６は省略されている。上下一対のローラ２６の数および設置位置は特に限定されない。ここでは、上下一対のローラ２６のうち、一方のローラ２６は自ら回転する駆動ローラ（以下、グリッドローラともいう。）である。グリッドローラ２６には、モータ２７が接続されている。モータ２７が駆動することで、グリッドローラ２６は回転する。上下一対のローラ２６のうち、他方のローラ２６は、上記グリッドローラと共に記録媒体５を挟み込むためのピンチローラである。ピンチローラは、上下方向に移動可能に構成されている。
【００２２】
第２移動機構５２は、プラテン２５に載置された記録媒体５に対して、インクヘッド４０（図３参照）を主走査方向Ｙに移動させる機構である。本実施形態では、第２移動機構５２は、プーリ２１と、プーリ２２と、無端状のベルト２３と、モータ２４を有している。プーリ２１は、ガイドレール２０の右端部分に設けられ、プーリ２２は、ガイドレール２０の左端部分に設けられている。ベルト２３は、プーリ２１とプーリ２２とに巻き掛けられている。なお、本実施形態では、ベルト２３は無端状であるが、無端状に限定されない。例えば、ベルト２３は無端状ではなく、両端部がプーリ２１および２２に固定される構成であってもよい。ここでは、モータ２４は、プーリ２１に接続されているが、プーリ２２に接続されていてもよい。モータ２４の駆動に伴いプーリ２１が駆動することで、プーリ２１とプーリ２２との間においてベルト２３が走行する。なお、第２移動機構５２は、プーリ２１と、プーリ２２と、ベルト２３を備えていなくてもよい。例えば、第２移動機構５２は、シャフトと、シャフトに設けられた第１ギアと、第１ギと噛み合う第２ギアなどを備えていてもよい。この場合、上記シャフトには、モータ２４が接続されており、モータ２４の駆動に伴い、上記第１ギアおよび上記第２ギアが回転する。本実施形態では、第２移動機構５２は、本発明の「移動機構」に対応する。
【００２３】
本実施形態では、キャリッジ３０は、ベルト２３に取り付けられている。図示は省略するが、キャリッジ３０は、ガイドレール２０に係合している。キャリッジ３０は、第２移動機構５２によって、ベルト２３の走行に従ってガイドレール２０に沿って主走査方向Ｙに移動する。
【００２４】
図３に示すように、インクヘッド４０は、プラテン２５に載置された記録媒体５に向かってインクを吐出するものである。インクヘッド４０は、キャリッジ３０に搭載されている。インクヘッド４０は、プラテン２５（図２参照）よりも上方に配置され、キャリッジ３０を介してガイドレール２０（図２参照）にスライド自在に係合している。インクヘッド４０は、第２移動機構５２によってガイドレール２０に沿って主走査方向Ｙに移動する。インクヘッド４０の数は特に限定されない。本実施形態では、インクヘッド４０の数は４つである。４つのインクヘッド４０は、主走査方向Ｙに並んで配置されている。４つのインクヘッド４０からそれぞれ異なる色のインクが吐出される。例えば、４つのインクヘッド４０のそれぞれから、シアン、マゼンタ、イエロー、ブラックのうち何れかの色のインクが吐出される。各インクヘッド４０の底面には、副走査方向Ｘに並んだ複数のノズル４１が形成されている。複数のノズル４１からインクが吐出される。
【００２５】
本実施形態では、インクヘッド４０には、インクカートリッジ４５（図２参照）が接続されている。ここでは、インクヘッド４０とインクカートリッジ４５とは、チューブ４６（図２参照）を介して互いに接続されている。インクカートリッジ４５には、インクヘッド４０に供給するインク、すなわち、印刷の際に使用されるインクが収容されている。なお、インクカートリッジ４５の設置位置は特に限定されない。例えば、図示は省略するが、インクカートリッジ４５は、本体１０の上面に取り外し可能に設けられている。なお、図示は省略するが、インクカートリッジ４５とインクヘッド４０の間には、圧力を制御するためのポンプ、および、ダンパーなどが設けられていてもよい。
【００２６】
次に、制御装置５５について説明する。図４に示すように、制御装置５５は、印刷に関する制御を行う装置である。制御装置５５は、マイクロコンピュータからなっており、本体１０の内部に設けられている。制御装置５５は、中央処理装置（ＣＰＵ）と、ＣＰＵが実行するプログラムなどを格納したＲＯＭと、ＲＡＭなどを備えている。ここでは、上記マイクロコンピュータ内に保存されたプログラムを使用して、印刷に関する制御を行う。
【００２７】
本実施形態では、制御装置５５は、操作パネル１２と、第１移動機構５１のモータ２７と、第２移動機構５２のモータ２４と、インクヘッド４０と電気的に接続しており、操作パネル１２、モータ２７、モータ２４、および、インクヘッド４０をそれぞれ制御する。制御装置５５は、操作パネル１２から印刷に関する情報を受信する。制御装置５５は、第１移動機構５１のモータ２７の駆動を制御して、グリッドローラ２６の回転を制御する。このことで、制御装置５５は、プラテン２５に載置された記録媒体５における副走査方向Ｘへの移動を制御する。制御装置５５は、第２移動機構５２のモータ２４の駆動を制御することで、プーリ２１の回転、および、ベルト２３（図２参照）の走行を制御する。このことで、制御装置５５は、インクヘッド４０の主走査方向Ｙへの移動を制御する。制御装置５５は、インクヘッド４０からインクを吐出するタイミングを制御する。
【００２８】
本実施形態では、制御装置５５は、伝送部５６を備えている。伝送部５６は、後述する伝送クロック信号ＣＳ２（図６参照）、および、伝送印刷画像データＰＤ２（図６参照）をインクヘッド４０に伝送する。
【００２９】
ところで、本実施形態に係る印刷装置１００では、印刷の際、印刷対象の印刷画像であって、予め用意された印刷画像を、インクヘッド４０に伝送する形式に変換したデータである印刷画像データ、および、印刷画像データと関連付けられたクロック信号がインクヘッド４０に伝送される。本実施形態では、印刷画像データと、クロック信号を併せて、伝送データという。ここで、印刷画像データとはラスターデータである。クロック信号は、印刷画像データに基づいてインクヘッド４０のノズル４１からインクを吐出するタイミングを規定するものである。本実施形態では、図示は省略するが、インクヘッド４０は、インクヘッド４０に印加される電気エネルギーを圧力に変換する圧電素子を備えている。この圧電素子の構成は特に限定されない。本実施形態では、印刷画像データ、および、クロック信号がインクヘッド４０に伝送されることで、インクヘッド４０に電気エネルギーが印加される。インクヘッド４０では、印加された電気エネルギーが適宜変更されて、上記圧電素子が膨張および収縮することで、電気エネルギーから変換された圧力が変化する。インクヘッド４０は、上記圧電素子による膨張および収縮によって生じる変位に基づいて、ノズル４１からインクが吐出される。
【００３０】
図５は、印刷画像データＰＤ１とクロック信号ＣＳ１のタイムチャートである。図５に示すように、クロック信号ＣＳ１は、複数のパルスＰ１、Ｐ２、・・・、Ｐｎが連続しているものであり、複数のパルスＰ１、Ｐ２、・・・、Ｐｎによって構成されている。図５において、各パルスＰ１、Ｐ２、・・・、Ｐｎの間隔であるパルス間隔Ｄ１１、Ｄ１２、・・・Ｄ１ｎは、それぞれ同じである。図５のクロック信号ＣＳ１は、特定の周波数を持つ。
【００３１】
ところで、図示は省略するが、制御装置５５（図４参照）とインクヘッド４０（図４参照）は、フレキシブルケーブルなどのケーブルによって互いが接続されている。印刷画像データＰＤ１およびクロック信号ＣＳ１は、このケーブルを介してインクヘッド４０に伝送される。このとき、ケーブルには、高電流が流れ、その結果、ケーブルがアンテナとして作用することで、ケーブルから放射ノイズが発生することがあり得る。従来では、図５に示すようなクロック信号ＣＳ１では、上述のように、各パルスＰ１、Ｐ２、・・・、Ｐｎのパルス間隔Ｄ１１、Ｄ１２、・・・、Ｄ１ｎがそれぞれ同じであるため、クロック信号ＣＳ１は、特定の周波数を持っていた。そのため、図５のような印刷画像データＰＤ１およびクロック信号ＣＳ１をインクヘッド４０に伝送する際、特定の周波数域において、放射ノイズが顕著に発生していた。この放射ノイズは、印刷装置１００の周辺の機器に誤動作を起こさせるおそれがある。そこで、本実施形態では、放射ノイズの発生を抑制するような伝送データ（詳しくは、印刷画像データおよびクロック信号）の作成を伝送データ作成装置６０が行う。
【００３２】
次に、伝送データ作成装置６０について説明する。図４に示すように、伝送データ作成装置６０は、印刷装置１００に備えられている。伝送データ作成装置６０は、印刷画像データとクロック信号を有する伝送データを作成する装置である。伝送データ作成装置６０は、マイクロコンピュータからなっており、本体１０の内部に設けられている。しかしながら、伝送データ作成装置６０は、パーソナルコンピュータ内に設けられているものであってもよい。伝送データ作成装置６０は、中央処理装置（ＣＰＵ）と、ＣＰＵが実行するプログラムなどを格納したＲＯＭと、ＲＡＭなどを備えている。ここでは、上記マイクロコンピュータ内に保存されたプログラムを使用して、伝送データを作成する。
【００３３】
本実施形態では、伝送データ作成装置６０は、制御装置５５と電気的に接続されている。伝送データ作成装置６０は、印刷画像データ、および、クロック信号を作成し、作成した印刷画像データ、および、クロック信号を制御装置５５に送信する。なお、伝送データ作成装置６０がパーソナルコンピュータ内に設けられている場合、伝送データ作成装置６０は、有線または無線などを介して、印刷装置１００の制御装置５５に、作成した印刷画像データ、および、クロック信号が送信される。ただし、伝送データ作成装置６０がパーソナルコンピュータ内に設けられている場合、印刷画像データは、パーソナルコンピュータで作成され、クロック信号は、印刷装置１００の制御装置５５によって作成されてもよい。
【００３４】
本実施形態では、伝送データ作成装置６０は、記憶部６１と、基準印刷画像データ作成部６３と、時分割部６５と、クロック信号作成部６７と、伝送印刷画像データ作成部６９と、送信部７１とを備えている。本実施形態では、伝送印刷画像データ作成部６９は、本発明の「印刷画像データ作成部」に対応する。なお、上述した各部は、ソフトウェアによって構成されていてもよいし、ハードウェアによって構成されていてもよい。例えば、上述した各部は、プロセッサによって行われるものであってもよいし、回路に組み込まれるものであってもよい。
【００３５】
図６は、インクヘッド４０に伝送される印刷画像データＰＤ２と、クロック信号ＣＳ２のタイムチャートである。図７は、本実施形態に係る伝送データを作成する手順を示したフローチャートである。次に、図６に示すような印刷画像データＰＤ２およびクロック信号ＣＳ２を作成する手順について、図７のフローチャートに沿って説明する。
【００３６】
以下の説明において、インクヘッド４０に伝送される印刷画像データＰＤ２のことを「伝送印刷画像データ」と称し、インクヘッド４０に伝送されるクロック信号ＣＳ２のことを「伝送クロック信号」と称する。本実施形態では、図６に示すように、伝送クロック信号ＣＳ２は、パルスＰ１、Ｐ２、・・・、Ｐｎのうち少なくとも一部のパルス間隔Ｄ２１、Ｄ２２、・・・、Ｄ２ｎが異なるものである。例えば、図６の伝送クロック信号ＣＳ２では、パルス間隔Ｄ２ｎは、パルス間隔Ｄ２１、Ｄ２２とそれぞれ異なる。本実施形態では、インクヘッド４０に伝送される伝送クロック信号ＣＳ２では、周波数がランダムに変化している。換言すると、伝送クロック信号ＣＳ２の周波数には、周期性がない。
【００３７】
ここでは、伝送クロック信号ＣＳ２および伝送印刷画像データＰＤ２は、図５のクロック信号ＣＳ１および印刷画像データＰＤ１からそれぞれ作成される。以下において、伝送クロック信号ＣＳ２を作成する際の基準となるクロック信号ＣＳ１のことを「基準クロック信号」と称する。また、伝送印刷画像データＰＤ２を作成する際の基準となる印刷画像データＰＤ１のことを「基準印刷画像データ」と称する。
【００３８】
本実施形態では、伝送クロック信号ＣＳ２および伝送印刷画像データＰＤ２が作成される前において、記憶部６１には、特定の周波数を持つ基準クロック信号ＣＳ１（図５参照）、および、印刷対象の画像である印刷画像が予め記憶されているものとする。
【００３９】
まず、図７のステップＳ１０１において、ユーザによって印刷指示が行われる。例えば、ユーザが操作パネル１２（図１参照）に表示された印刷開始ボタン（図示せず）を操作することで、図４に示すように、操作パネル１２から制御装置５５に印刷ジョブが送信される。そして、制御装置５５は、印刷ジョブを受信することで、印刷指示が行われたことを認識する。このとき、制御装置５５は、伝送データ作成装置６０に、伝送データを作成させるための指示信号を送信する。伝送データ作成装置６０は、上記指示信号を受信することで、伝送データである伝送クロック信号ＣＳ２および伝送印刷画像データＰＤ２の作成を開始する。
【００４０】
次に、図７のステップＳ１０３では、基準印刷画像データ作成部６３は、図５に示すような基準印刷画像データＰＤ１を生成する。ここでは、基準印刷画像データ作成部６３は、記憶部６１に記憶された印刷画像から、ラスターデータである基準印刷画像データＰＤ１を作成する。基準印刷画像データＰＤ１は、インクヘッド４０に伝送される伝送印刷画像データＰＤ２（図６参照）を作成する基準となるデータである。なお、ステップＳ１０３において作成された基準印刷画像データＰＤ１は、図５に示すような特定の周波数を持つ基準クロック信号ＣＳ１と関連付けられている。ステップＳ１０３において、作成された基準印刷画像データＰＤ１は、記憶部６１に記憶される。
【００４１】
次に、図７のステップＳ１０５では、時分割部６５は、基準クロック信号ＣＳ１（図５参照）と、基準クロック信号ＣＳ１に関連付けられた基準印刷画像データＰＤ１（図５参照）に対して時分割を行う。図８は、時分割をした状態を示す基準印刷画像データＰＤ１と基準クロック信号ＣＳ１のタイムチャートである。本実施形態では、図８に示すように、時分割部６５は、所定の第１の間隔ＴＤ１で、図５に示した基準クロック信号ＣＳ１および基準印刷画像データＰＤ１に対して時分割を行う。この所定の第１の間隔ＴＤ１は、記憶部６１に予め記憶されている値である。所定の第１の間隔ＴＤ１は、一定の値であってもよいし、基準クロック信号ＣＳ１のパルス間隔Ｄ１１、Ｄ１２、・・・、Ｄ１ｎに従って適宜変更されるものであってもよい。図８に示すように、第１の間隔ＴＤ１は、基準クロック信号ＣＳ１のパルス間隔Ｄ１１、Ｄ１２、・・・Ｄ１ｎよりも短い。第１の間隔ＴＤ１は、基準印刷画像データＰＤ１および基準クロック信号ＣＳ１において、値が切り替わるタイミングで時分割されないような値である。具体的には、例えば、時間Ｔ１１〜Ｔ１４、Ｔ２１、Ｔ２２で時分割が行われないように第１の間隔ＴＤ１は設定されている。
【００４２】
なお、本実施形態では、時分割部６５によって時分割された後の個々のクロック信号のことを分割クロックＤＣ１、ＤＣ２、・・・ＤＣｍと称する。すなわち、時分割部６５は、基準クロック信号ＣＳ１を複数の分割クロックＤＣ１、ＤＣ２、・・・ＤＣｍに分割するように、所定の第１の間隔ＴＤ１で時分割を行う。
【００４３】
次に、図７のステップＳ１０７では、クロック信号作成部６７は、インクヘッド４０に伝送する伝送クロック信号ＣＳ２（図６参照）を作成する。具体的には、クロック信号作成部６７は、ステップＳ１０５において時分割部６５によって分割された各分割クロックＤＣ１、ＤＣ２、・・・ＤＣｍに対して、１つの分割クロックを選択し、選択した分割クロックに対して、以下の処理Ａ、処理Ｂおよび処理Ｃの何れかの処理をランダムに行う。
処理Ａ：選択した分割クロックを削除する。
処理Ｂ：選択した分割クロックの直後に、新たな分割クロックを挿入する。
処理Ｃ：処理Ａおよび処理Ｂの何れの処理も行わない。
【００４４】
ここで、処理Ａでは、例えば図８において、クロック信号作成部６７は分割クロックＤＣｍを選択する。そして、クロック信号作成部６７は、選択した分割クロックＤＣｍ、および、選択した分割クロックＤＣｍに対応する基準印刷画像データＰＤ１の部分に、値が切り替わる部分があるか否かを判定する。値が切り替わる部分がない場合、クロック信号作成部６７は、図６に示すように、選択した分割クロックＤＣｍを削除する。このことによって、削除した分割クロックＤＣｍが属するパルスＰｎのパルス間隔が間隔Ｄ１ｎ（図８参照）から間隔Ｄ２ｎになる。
【００４５】
なお、例えば、クロック信号作成部６７が分割クロックＤＣ４を選択した場合、分割クロックＤＣ４には、時間Ｔ１２において値が切り替わる部分が存在する。この場合、クロック信号作成部６７は、分割クロックＤＣ４を削除することができないと判定し、分割クロックＤＣ４に対して処理Ａを行わない。同様に、例えば、分割クロックＤＣ３において、分割クロックＤＣ３に対応する基準印刷画像データＰＤ１の部分には、時間Ｔ２１において値が切り替わる部分が存在する。よって、選択した分割クロックが分割クロックＤＣ３である場合、クロック信号作成部６７は、分割クロックＤＣ３を削除することができないと判定し、分割クロックＤＣ３に対して処理Ａを行わない。なお、本実施形態では、処理Ａにおいて選択された分割クロックは、本発明の「第１選択分割クロック」に対応する。
【００４６】
処理Ｂでは、例えば図８において、クロック信号作成部６７は分割クロックＤＣ１を選択する。そして、クロック信号作成部６７は、図６に示すように、選択した分割クロックＤＣ１の直後に、新たな分割クロックＤＣ１’を挿入する。このことで、選択した分割クロックＤＣ１が属するパルスＰ１のパルス間隔が間隔Ｄ１１（図８参照）から間隔Ｄ２１になる。ここで、新たな分割クロックＤＣ１’とは、選択した分割クロックＤＣ１の後端の値を所定の第２の間隔ＴＤ２の間、連続するようなクロックである。言い換えると、処理Ｂにおいて、クロック信号作成部６７は、選択した分割クロックＤＣ１の後端の値が所定の第２の間隔ＴＤ２の間、さらに連続するように、選択した分割クロックＤＣ１を延長させる。なお、第２の間隔ＴＤ２は、記憶部６１に予め記憶されたものである。この第２の間隔ＴＤ２の具体的な値は特に限定されないが、ここでは、第１の間隔ＴＤ１（図８参照）と同じである。
【００４７】
なお、図６では、クロック信号作成部６７は、分割クロックＤＣ６および分割クロックＤＣ７を選択し、選択した分割クロックＤＣ６および分割クロックＤＣ７の直後に、新たな分割クロックＤＣ６’、および、新たな分割クロックＤＣ７’を挿入している。本実施形態では、処理Ｂにおいて選択された分割クロックは、本発明の「第２選択分割クロック」に対応する。
【００４８】
処理Ｃでは、例えば図８において、クロック信号作成部６７は、分割クロックＤＣ３を選択する。そして、クロック信号作成部６７は、選択した分割クロックＤＣ３に対して、処理Ａおよび処理Ｂの何れの処理を行わない。すなわち、処理Ｃにおいて、クロック信号作成部６７は、選択した分割クロックＤＣ３に対して、何も処理を行わない。なお、本実施形態では、処理Ｃにおいて選択された分割クロックは、本発明の「第３選択分割クロック」に対応する。
【００４９】
本実施形態では、ステップＳ１０７において、クロック信号作成部６７は、ステップＳ１０５において時分割が行われた後の分割クロックに対して、上述した処理Ａ、処理Ｂおよび処理Ｃの何れかの処理をランダムで行う。よって、連続した分割クロックに対して、処理Ａ、処理Ｂおよび処理Ｃのうち何れかの処理が連続して行われてもよい。例えば、図８では、連続した分割クロックＤＣ６および分割クロックＤＣ７に対して、処理Ｂが行われている。
【００５０】
図７のステップＳ１０７において、クロック信号作成部６７によって、図６に示すような伝送クロック信号ＣＳ２を作成した後、ステップＳ１０９では、伝送印刷画像データ作成部６９は、ステップＳ１０７で作成された伝送クロック信号ＣＳ２に対応するように、図５の基準印刷画像データＰＤ１から図６の伝送印刷画像データＰＤ２を作成する。ここでは、伝送印刷画像データ作成部６９は、処理Ａが行われた分割クロックＤＣ５およびＤＣｍに対応する基準印刷画像データＰＤ１の部分では、レートを短くする。伝送印刷画像データ作成部６９は、処理Ｂが行われた分割クロックＤＣ１、ＤＣ６、ＤＣ７に対応する基準印刷画像データＰＤ１の部分では、レートを長くする。また、伝送印刷画像データ作成部６９は、処理Ｃが行われた分割クロックに対応する基準印刷画像データＰＤ１の部分では、何も処理を行わない。このようにして、図６に示すように、伝送クロック信号ＣＳ２に対応するように、基準印刷画像データＰＤ１のレートを調整することで、伝送印刷画像データＰＤ２が作成される。
【００５１】
次に、ステップＳ１１１では、送信部７１は、ステップＳ１０７においてクロック信号作成部６７によって作成された伝送クロック信号ＣＳ２（図６参照）、および、ステップＳ１０９において伝送印刷画像データ作成部６９によって作成された伝送印刷画像データＰＤ２（図６参照）を制御装置５５（図４参照）に送信する。そして、伝送クロック信号ＣＳ２および伝送印刷画像データＰＤ２を制御装置５５が受信した後、制御装置５５の伝送部５６は、伝送クロック信号ＣＳ２および伝送印刷画像データＰＤ２をインクヘッド４０に伝送する。このことで、インクヘッド４０は、伝送された伝送クロック信号ＣＳ２および伝送印刷画像データＰＤ２に基づいて、プラテン２５に載置された記録媒体５にインクを吐出する。なお、送信部７１は、制御装置５５を介さずに、伝送クロック信号ＣＳ２および伝送印刷画像データＰＤ２をインクヘッド４０に直接伝送してもよい。
【００５２】
なお、本実施形態では、図３に示すように、インクヘッド４０は４つある。そのため、図６に示す伝送クロック信号ＣＳ２および伝送印刷画像データＰＤ２は、複数のインクヘッド４０のそれぞれに対して作成される。すなわち、各インクヘッド４０に対して、図７のステップＳ１０３〜Ｓ１０９の各処理が行われる。各インクヘッド４０の伝送クロック信号ＣＳ２は、各パルスＰ１、Ｐ２、・・・、Ｐｎのパルス間隔Ｄ２１、Ｄ２２、・・・、Ｄ２ｎは、異なることがあり得る。
【００５３】
以上、本実施形態では、クロック信号作成部６７は、図６に示すように、基準クロック信号ＣＳ１（図５参照）の複数のパルスＰ１、Ｐ２、・・・、Ｐｎのうち、少なくとも１つ以上のパルスの間隔を異ならせることで、基準クロック信号ＣＳ１から伝送クロック信号ＣＳ２を作成する。このことによって、伝送クロック信号ＣＳ２は、特定の周波数を持たないため、放射ノイズの発生を分散させることができる。よって、特定の周波数で放射ノイズのレベルが増大することを抑制することができる。したがって、本実施形態では、発生する放射ノイズのレベルが増大することを抑制することが可能な伝送クロック信号ＣＳ２を作成することができる。
【００５４】
放射ノイズのレベルが増大するような印刷装置の場合、放射ノイズが外部に漏れることを防ぐための機構を設ける必要がある。そのため、放射ノイズのレベルが増大するような印刷装置の場合、部品点数が多くなるとともに、印刷装置自体が大きくなる。それに伴い、使用されるモータなどが大きくなり、消費電力が大きくなる。しかしながら、本実施形態では、放射ノイズのレベルが増大することを抑制するような伝送クロック信号ＣＳ２を作成しているため、放射ノイズのレベルが増大するような印刷装置と比較して、装置自体が大きくなること、および、消費電力が大きくなることを抑制することができる。
【００５５】
本実施形態では、時分割部６５は、図８に示すように、基準クロック信号ＣＳ１を第１の間隔ＴＤ１で分割することで、基準クロック信号ＣＳ１を複数の分割クロックＤＣ１、ＤＣ２、・・・、ＤＣｍに分割する。クロック信号作成部６７は、例えば、複数の分割クロックＤＣ１、ＤＣ２、・・・、ＤＣｍから選択された分割クロックＤＣｍを削除する。このように、本実施形態では、選択した分割クロックＤＣｍを削除することで、図６に示すように、削除した分割クロックＤＣｍが属するパルスＰｎのパルス間隔Ｄ２ｎを短くすることができる。よって、パルスＰｎのパルス間隔Ｄ２ｎを他のパルスの間隔と異ならせることができるため、特定の周波数を持たない伝送クロック信号ＣＳ２を作成することができる。
【００５６】
本実施形態では、図８に示すように、基準クロック信号ＣＳ１に対して時分割を行う第１の間隔ＴＤ１は、基準クロック信号ＣＳ１のパルス間隔Ｄ１１、Ｄ１２、・・・、Ｄ１ｎよりも短い。このことによって、各パルスＰ１、Ｐ２、・・・、Ｐｎを分割させることができる。よって、各パルスＰ１、Ｐ２、・・・、Ｐｎに対して、間隔を変更することが可能となる。したがって、放射ノイズが分散されるような伝送クロック信号ＣＳ２を作成し易い。
【００５７】
本実施形態では、クロック信号作成部６７は、例えば、複数の分割クロックＤＣ１、ＤＣ２、・・・、ＤＣｍから選択された分割クロックＤＣ１の後に、図６に示すように、分割クロックＤＣ１の後端の値が所定の第２の間隔ＴＤ２の間、連続する新たな分割クロックＤＣ１’を挿入する。このように、本実施形態では、選択した分割クロックＤＣ１の後、すなわち、分割クロックＤＣ１と分割クロックＤＣ２との間に、新たな分割クロックＤＣ１’を挿入することで、分割クロックＤＣ１が属するパルスＰ１のパルス間隔Ｄ２１を長くすることができる。よって、パルスＰ１のパルス間隔Ｄ２１を他のパルスの間隔と異ならせることができるため、特定の周波数を持たない伝送クロック信号ＣＳ２を作成することができる。
【００５８】
本実施形態では、新たな分割クロックＤＣ１’の間隔である第２の間隔ＴＤ２は、基準クロック信号ＣＳ１に対して時分割を行う第１の間隔ＴＤ１と同じである。このように、第１の間隔ＴＤ１と、第２の間隔ＴＤ２を同じにすることによって、処理が複雑になることを抑制するとともに、処理時間を短くすることができる。
【００５９】
本実施形態では、クロック信号作成部６７は、例えば図８において、複数の分割クロックＤＣ１、ＤＣ２、・・・、ＤＣｍから選択された分割クロックＤＣ３に対して何も処理を行わない。仮に、全ての分割クロックＤＣ１、ＤＣ２、・・・、ＤＣｍに対して、処理Ａの選択した分割クロックを削除する処理、および、処理Ｂの新たな分割クロックを挿入する処理の何れかの処理を行う場合、処理時間が長くなる。しかしながら、例えば、選択した分割クロックＤＣ３に対して何も処理を行わない処理Ｃがあることで、処理時間を短縮することができる。また、各分割クロックＤＣ１、ＤＣ２、・・・、ＤＣｍに対して、処理Ａ〜処理Ｃの３種類の処理の何れかの処理が行われるため、処理ＡおよびＢの処理の何れかが行われる場合と比較して、パルス間隔Ｄ２１、Ｄ２２、・・・、Ｄ２ｎが互いに異なり易い。したがって、放射ノイズがより分散されるような伝送クロック信号ＣＳ２を作成し易い。
【００６０】
本実施形態では、印刷装置１００は、いわゆる、大型のプリンタである。ここでは、プラテン２５の主走査方向Ｙの長さは、２０インチ以上である。大型のプリンタである程、高い電流がインクヘッド４０に向かって流れるため、放射ノイズが発生し易い。しかしながら、本実施形態では、伝送データ作成装置６０によって、各インクヘッド４０に対して、特定の周波数を持たない伝送クロック信号ＣＳ２が作成される。よって、大型のプリンタであっても、発生する放射ノイズのレベルが増大することを抑制することができる。したがって、このような伝送クロック信号ＣＳ２を作成することは、大型のプリンタに対して特に有用である。
【００６１】
上述したように、伝送データ作成装置６０の記憶部６１と、基準印刷画像データ作成部６３と、時分割部６５と、クロック信号作成部６７と、伝送印刷画像データ作成部６９と、送信部７１は、ソフトウェアによって構成されていてもよい。すなわち、上記各部は、コンピュータプログラムがコンピュータに読み込まれることにより、当該コンピュータによって実現されるようになっていてもよい。本発明には、コンピュータを上記各部として機能させるための印刷用のコンピュータプログラムが含まれる。また、本発明には、当該コンピュータプログラムが記録されたコンピュータが読み取り可能な記録媒体が含まれる。また、上記各部は、伝送データ作成装置６０が備える１つのプロセッサによって、実現されるものであってもよいし、複数のプロセッサによって実現されるものであってもよい。また、本発明には、各部が実行するプログラムと同様の機能が実現された回路が含まれる。
【符号の説明】
【００６２】
５  記録媒体
２５  プラテン
４０  インクヘッド
５５  制御装置
５６  伝送部
６０  伝送データ作成装置
６１  記憶部
６３  基準印刷画像データ作成部
６５  時分割部
６７  クロック信号作成部
６９  伝送印刷画像データ作成部（印刷画像データ作成部）
７１  送信部
１００  印刷装置
【図１】
2018024163.tif 000003
【図２】
2018024163.tif 000004
【図３】
2018024163.tif 000005
【図４】
2018024163.tif 000006
【図５】
2018024163.tif 000007
【図６】
2018024163.tif 000008
【図７】
2018024163.tif 000009
【図８】
2018024163.tif 000010